(57)【要約】【課題】携帯電話機を所持する子供が緊急時に速やかに親等に連絡をとることができる技術を提供できることが望ましい。【解決手段】コンピュータを、コンピュータの使用者によって作成されたメールを送信バッファに格納する第１格納処理部、予め定められた条件が満たされたことに応じて作成されたメールを送信バッファに格納する第２格納処理部、及び第２格納処理部によって格納されたメールよりも、第１格納処理部によって格納されたメールを優先して送信するメール送信部として機能させるためのプログラムを提供する。【選択図】図３
2018088609.tif 000002
【特許請求の範囲】
【請求項１】
コンピュータを、
前記コンピュータの使用者によって作成されたメールを送信バッファに格納する第１格納処理部、
予め定められた条件が満たされたことに応じて作成されたメールを前記送信バッファに格納する第２格納処理部、及び
前記第２格納処理部によって格納されたメールよりも、前記第１格納処理部によって格納されたメールを優先して送信するメール送信部
として機能させるためのプログラム。
【請求項２】
前記第２格納処理部によって格納されたメールは複数の宛先を含み、
前記メール送信部は、前記第２格納処理部によって格納されたメールを前記複数の宛先に送信する、請求項１に記載のプログラム。
【請求項３】
前記コンピュータを、
前記メール送信部によって送信されたメールを表示させる表示制御部であって、前記第１格納処理部によって前記送信バッファに格納されて前記メール送信部によって送信されたメールを表示させ、前記第２格納処理部によって前記送信バッファに格納されて前記メール送信部によって送信されたメールを表示させない表示制御部
として機能させるための、請求項１又は２に記載のプログラム。
【請求項４】
前記第２格納処理部は、緊急事態の発生を報知する条件が満たされたことに応じて第１の種類のメールを前記送信バッファに格納し、前記緊急事態の発生を報知する条件以外の条件が満たされたことに応じて第２の種類のメールを前記送信バッファに格納し、
前記メール送信部は、前記第２の種類のメールよりも、前記第１の種類のメールを優先して送信する、請求項１から３のいずれか一項に記載のプログラム。
【請求項５】
前記第２格納処理部は、前記使用者の操作を受け付ける操作部に対する操作を受け付けたことに応じて、前記第１の種類のメールを前記送信バッファに格納する、請求項４に記載のプログラム。
【請求項６】
前記第２格納処理部は、前記コンピュータの移動速度を検出する速度検出部によって検出された移動速度が予め定められた速度より速い場合、前記第１の種類のメールを前記送信バッファに格納する、請求項４又は５に記載のプログラム。
【請求項７】
前記第２格納処理部は、前記コンピュータの位置情報を取得する位置情報取得部が取得した前記位置情報を送信する条件が満たされた場合に、前記位置情報を含む前記第２の種類のメールを前記送信バッファに格納する、請求項４から６のいずれか一項に記載のプログラム。
【請求項８】
前記コンピュータを、
前記コンピュータの設定を変更する設定変更指示を受信する変更指示受信部、及び
前記設定変更指示に従って設定変更を実行する設定変更実行部、
として機能させ、
前記第２格納処理部は、前記設定変更実行部による設定変更が完了したことに応じて、前記第２の種類のメールを前記送信バッファに格納する、請求項４から７のいずれか一項に記載のプログラム。
【請求項９】
通信端末であって、
前記通信端末の使用者によって作成されたメールを送信バッファに格納する第１格納処理部と、
予め定められた条件が満たされたことに応じて作成されたメールを前記送信バッファに格納する第２格納処理部と、
前記第２格納処理部によって格納されたメールよりも、前記第１格納処理部によって格納されたメールを優先して送信するメール送信部と
を備える通信端末。
【発明の詳細な説明】
【技術分野】
【０００１】
本発明は、通信端末及びプログラムに関する。
【背景技術】
【０００２】
子供向けの携帯電話機として、みまもりケータイ及びキッズケータイ（登録商標）等が知られていた（例えば、特許文献１参照）。
［先行技術文献］
［特許文献］
［特許文献１］特開２０１５−１１９３１６号公報
【発明の概要】
【発明が解決しようとする課題】
【０００３】
携帯電話機を所持する子供が緊急時に速やかに親等に連絡をとることができる技術を提供できることが望ましい。
【課題を解決するための手段】
【０００４】
本発明の第１の態様によれば、プログラムが提供される。プログラムは、コンピュータを、コンピュータの使用者によって作成されたメールを送信バッファに格納する第１格納処理部として機能させてよい。プログラムは、コンピュータを、予め定められた条件が満たされたことに応じて作成されたメールを送信バッファに格納する第２格納処理部として機能させてよい。プログラムは、コンピュータを、第２格納処理部によって格納されたメールよりも、第１格納処理部によって格納されたメールを優先して送信するメール送信部として機能させてよい。
【０００５】
上記第２格納処理部によって格納されたメールは複数の宛先を含んでよく、上記メール送信部は、上記第２格納処理部によって格納されたメールを上記複数の宛先に送信してよい。上記プログラムは、上記コンピュータを、上記メール送信部によって送信されたメールを表示させる表示制御部であって、上記第１格納処理部によって上記送信バッファに格納されて上記メール送信部によって送信されたメールを表示させ、上記第２格納処理部によって上記送信バッファに格納されて上記メール送信部によって送信されたメールを表示させない表示制御部として機能させてよい。
【０００６】
上記第２格納処理部は、緊急事態の発生を報知する条件が満たされたことに応じて第１の種類のメールを上記送信バッファに格納し、上記緊急事態の発生を報知する条件以外の条件が満たされたことに応じて第２の種類のメールを上記送信バッファに格納してよく、上記メール送信部は、上記第２の種類のメールよりも、上記第１の種類のメールを優先して送信してよい。上記第２格納処理部は、上記使用者の操作を受け付ける操作部に対する操作を受け付けたことに応じて、上記第１の種類のメールを上記送信バッファに格納してよい。上記第２格納処理部は、上記コンピュータの移動速度を検出する速度検出部によって検出された移動速度が予め定められた速度より速い場合、上記第１の種類のメールを上記送信バッファに格納してよい。上記第２格納処理部は、上記コンピュータの位置情報を取得する位置情報取得部が取得した上記位置情報を送信する条件が満たされた場合に、上記位置情報を含む上記第２の種類のメールを上記送信バッファに格納してよい。上記プログラムは、上記コンピュータを、上記コンピュータの設定を変更する設定変更指示を受信する変更指示受信部、及び上記設定変更指示に従って設定変更を実行する設定変更実行部として機能させてよく、上記第２格納処理部は、上記設定変更実行部による設定変更が完了したことに応じて、上記第２の種類のメールを上記送信バッファに格納してよい。
【０００７】
本発明の第２の態様によれば、通信端末が提供される。通信端末は、通信端末の使用者によって作成されたメールを送信バッファに格納する第１格納処理部を備えてよい。通信端末は、予め定められた条件が満たされたことに応じて作成されたメールを送信バッファに格納する第２格納処理部を備えてよい。通信端末は、第２格納処理部によって格納されたメールよりも、第１格納処理部によって格納されたメールを優先して送信するメール送信部を備えてよい。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】通信端末１００の通信環境の一例を概略的に示す。
【図２】送信バッファに格納されているメールの一例を概略的に示す。
【図３】通信端末１００の機能構成の一例を概略的に示す。
【図４】通信端末１００による処理の流れの一例を概略的に示す。
【図５】通信端末１００による処理の流れの一例を概略的に示す。
【図６】通信端末１００として機能するコンピュータ９００のハードウエア構成の一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、通信端末１００の通信環境の一例を概略的に示す。通信端末１００は、例えば、子供向けの携帯電話である。なお、通信端末１００は通信機能を有する端末であればどのようなものであってもよく、例えば、子供向けではない一般の携帯電話、タブレット端末及びＰＣ（Ｐｅｒｓｏｎａｌ  Ｃｏｍｐｕｔｅｒ）等であってもよい。ここでは、通信端末１００が子供向けの携帯電話である場合を主に例に挙げて説明する。
【００１２】
通信端末１００は、メールを送信する機能を有する。通信端末１００は、ネットワーク１０を介してメールを送信する。ネットワーク１０は、例えば、インターネット及び電話網を含む。通信端末１００は、任意の宛先にメールを送信してよい。通信端末１００は、例えば、使用者２０のおかあさん３０のメールアドレス、おとうさん４０のメールアドレス、おばあちゃん５０のメールアドレス及びおじいちゃん６０のメールアドレス等を宛先としてメールを送信する。
【００１３】
通信端末１００は、使用者２０によって作成されたメールを送信してよい。使用者２０によって作成されたメールとは、通信端末１００が備える入力デバイスを用いて使用者２０によって作成されたメールであってよい。通信端末１００は、通信端末１００の使用者２０によって作成されたメールを、使用者２０によって指定された宛先に送信してよい。
【００１４】
通信端末１００は、予め定められた条件が満たされたことに応じてメールを送信してよい。通信端末１００は、予め定められた条件が満たされたことに応じて、予め定められた宛先に対してメールを送信してよい。予め定められた宛先は、例えば、おかあさん３０のメールアドレス、おとうさん４０のメールアドレス、おばあちゃん５０のメールアドレス及びおじいちゃん６０のメールアドレス等である。
【００１５】
例えば、通信端末１００は、緊急事態の発生を報知する条件が満たされたことに応じてメールを送信する。具体例の一つとして、通信端末１００は、緊急事態が発生した場合等に使用者２０によって操作される操作部に対する操作を受け付けたことに応じてメールを送信する。また、具体例の１つとして、通信端末１００は、通信端末１００が予め定められた速度よりも速い速度で移動したことを検出したことに応じてメールを送信する。
【００１６】
また、通信端末１００は、緊急事態の発生を報知する条件以外の条件が満たされたことに応じてメールを送信する。具体例の一つとして、通信端末１００は、通信端末１００の位置情報を送信する条件が満たされた場合に、通信端末１００の位置情報を含むメールを送信する。通信端末１００は、例えば、定期的に通信端末１００の位置情報を予め定められた宛先に送信する。
【００１７】
また、具体例の一つとして、通信端末１００は、通信端末１００の設定を変更する設定変更指示を外部から受信し、当該設定変更指示に従って設定変更を実行したことに応じてメールを送信する。通信端末１００は、例えば、管理サーバ３００から設定変更指示を受信する。管理サーバ３００は、通信端末１００の管理装置として登録されている通信装置からの指示に従って、設定変更指示を通信端末１００に送信してよい。通信装置は、通信機能を有していればどのような装置であってもよく、例えば、スマートフォン等の携帯電話、タブレット端末及びＰＣ等である。通信端末１００の管理装置として複数の通信装置が登録されてもよい。例えば、おかあさん３０の携帯電話２００、おとうさん４０の携帯電話２００、おばあちゃん５０の携帯電話２００及びおじいちゃん６０の携帯電話の少なくともいずれかが管理装置として登録される。
【００１８】
通信端末１００は、作成したメールを送信バッファに格納する。通信端末１００は、送信バッファに格納されているメールを送信する。従来の通信端末は、送信バッファに格納されているメールを格納された順番に従って送信していた。
【００１９】
図２は、送信バッファに格納されているメールの一例を概略的に示す。図２は、位置情報を含むおとうさん４０宛のメール、位置情報を含むおかあさん３０宛のメール、位置情報を含むおばあちゃん５０宛のメール、位置情報を含むおじいちゃん宛のメール、設定変更が完了したことを通知するおとうさん４０宛のメール、設定変更が完了したことを通知するおかあさん３０宛のメール、使用者２０が作成したおとうさん４０宛のメール、使用者２０が作成したおかあさん３０宛のメールの順に送信バッファに格納された場合を例示する。
【００２０】
メールの宛先が複数の場合には、このように複数のメールが送信バッファに滞留することがある。また、例えば、通信端末１００が通信圏外にいる間に作成されたメールが送信バッファに滞留することがある。従来の通信端末によれば、送信バッファに格納された順にメールが送信されるので、図２に示す例の場合、使用者２０が作成したメールの送信が遅延してしまう。これにより、緊急時に使用者２０が救助要請等のメールを作成して送信しようとした場合に、他のメールの後回しになってしまい、送信に時間を要してしまう場合があった。
【００２１】
これに対して、本実施形態に係る通信端末１００は、予め定められた条件が満たされたことに応じて作成されたメールよりも、使用者２０によって作成されたメールを優先して送信する。例えば、通信端末１００は、送信バッファが図２に示すような状態である場合、使用者２０が作成したおとうさん４０宛のメール及び使用者２０が作成したおかあさん３０宛のメールを、他のメールよりも先に送信する。これにより、使用者２０が作成した救助要請等のメールが後回しになってしまうことを防止することができる。
【００２２】
図３は、通信端末１００の機能構成の一例を概略的に示す。通信端末１００は、入力受付部１０２、メール作成部１０４、格納処理部１０６、送信バッファ１０８、変更指示受信部１１２、設定変更実行部１１４、メール作成部１１６、操作部１１８、位置情報取得部１２０、速度検出部１２２、格納処理部１２４、メール送信部１３０、メール格納部１３２、メール受信部１３４及び表示制御部１３６を備える。なお、通信端末１００がこれらのすべての構成を備えることは必須とは限らない。
【００２３】
入力受付部１０２は、使用者２０の入力を受け付ける。入力受付部１０２は、通信端末１００が備える任意の入力デバイスを用いた入力を受け付ける。入力デバイスは、例えば、タッチパネル及び入力キー等である。入力受付部１０２は、例えば、メールを作成するための入力を受け付ける。入力受付部１０２は、例えば、メールの送信指示を受け付ける。メール作成部１０４は、使用者２０の入力に従ってメールを作成する。
【００２４】
格納処理部１０６は、メール作成部１０４によって作成されたメールを送信バッファ１０８に格納する。格納処理部１０６は、第一格納処理部の一例であってよい。
【００２５】
変更指示受信部１１２は、通信端末１００の設定を変更する設定変更指示を受信する。変更指示受信部１１２は、例えば、管理サーバ３００から設定変更指示を受信する。設定変更実行部１１４は、変更指示受信部１１２が受信した設定変更指示に従って、設定変更を実行する。設定変更は、例えば電話帳の変更、音量の変更及び壁紙の変更等、任意の設定変更であってよい。
【００２６】
メール作成部１１６は、予め定められた条件が満たされた場合にメールを作成する。メール作成部１１６は、予め定められた条件が満たされた場合に、予め定められた宛先に対するメールを作成してよい。メール作成部１１６は、予め定められた内容を含むメールを送信用に作成してよい。また、メール作成部１１６は、新たに生成した内容を含むメールを作成してもよい。
【００２７】
メール作成部１１６は、設定変更実行部１１４による設定変更が完了したことに応じて、メールを作成してよい。当該メールは第２の種類のメールの一例であってよい。
【００２８】
操作部１１８は、使用者２０の操作を受け付ける。操作部１１８は、いわゆるプルスイッチであってよい。例えば、操作部１１８は、通信端末１００のストラップを引っ張ることによって動作するスイッチである。また、操作部１１８は、例えば、いわゆる緊急ボタンであってよい。メール作成部１１６は、操作部１１８に対する操作を受け付けたことに応じて、メールを作成してよい。当該メールは第１の種類のメールの一例であってよい。
【００２９】
位置情報取得部１２０は、通信端末１００の位置情報を取得する。位置情報取得部１２０は、任意の手法を用いて通信端末１００の位置情報を取得してよい。例えば、位置情報取得部１２０は、ＧＰＳ（Ｇｌｏｂａｌ  Ｐｏｓｉｔｉｏｎｉｎｇ  Ｓｙｓｔｅｍ）から、通信端末１００の緯度経度情報を受信する。また、例えば、位置情報取得部１２０は、ＷｉＦｉのアクセスポイントから通信端末１００の位置情報を取得する。
【００３０】
位置情報取得部１２０は、位置情報を送信する条件が満たされた場合に、通信端末１００の位置情報を取得してよい。例えば、位置情報取得部１２０は、管理装置からの位置情報要求を受信したことに応じて、通信端末１００の位置情報を取得する。また、例えば、位置情報取得部１２０は、予め定められたタイミングに従って定期的に位置情報を取得する。メール作成部１１６は、位置情報を送信する条件が満たされた場合に、位置情報取得部１２０が取得した通信端末１００の位置情報を含むメールを作成してよい。当該メールは第２の種類のメールの一例であってよい。
【００３１】
速度検出部１２２は、通信端末１００の移動速度を検出する。メール作成部１１６は、速度検出部１２２によって検出された移動速度が、予め定められた速度よりも速い場合、メールを作成してよい。当該メールは、第１の種類のメールの一例であってよい。
【００３２】
格納処理部１２４は、メール作成部１１６によって作成されたメールを格納する。格納処理部１２４は、緊急事態の発生を報知する条件が満たされたことに応じて第１の種類のメールを送信バッファ１０８に格納してよい。例えば、格納処理部１２４は、操作部１１８に対する操作を受け付けた場合にメール作成部１１６によって作成されたメールを送信バッファ１０８に格納する。また、例えば、格納処理部１２４は、速度検出部１２２によって検出された移動速度が予め定められた速度よりも速い場合にメール作成部１１６によって作成されたメールを送信バッファ１０８に格納する。
【００３３】
格納処理部１２４は、緊急事態の発生を報知する条件以外の条件が満たされたことに応じて第２の種類のメールを送信バッファ１０８に格納してよい。例えば、格納処理部１２４は、設定変更実行部１１４による設定変更が完了したことに応じてメール作成部１１６によって作成されたメールを送信バッファ１０８に格納する。また、例えば、格納処理部１２４は、位置情報取得部１２０が取得した位置情報を送信する条件が満たされた場合にメール作成部１１６によって作成された位置情報を含むメールを送信バッファ１０８に格納する。
【００３４】
メール送信部１３０は、送信バッファ１０８に格納されているメールを送信する。メール送信部１３０は、格納処理部１２４によって送信バッファ１０８に格納されたメールよりも、格納処理部１０６によって送信バッファ１０８に格納されたメールを優先して送信してよい。またさらに、メール送信部１３０は、第２の種類のメールよりも第１の種類のメールを優先して送信してよい。
【００３５】
メール格納部１３２は、メール送信部１３０によって送信されたメールを格納する。メール受信部１３４は、メールを受信する。メール格納部１３２は、メール受信部１３４が受信したメールを格納する。
【００３６】
表示制御部１３６は、メール格納部１３２に格納されているメールを通信端末１００が備えるディスプレイに表示させてよい。ここで、表示制御部１３６は、格納処理部１０６によって送信バッファ１０８に格納され、メール送信部１３０によって送信されたメールを表示させ、格納処理部１２４によって送信バッファ１０８に格納され、メール送信部１３０によって送信されたメールは表示させなくてよい。
【００３７】
図４は、通信端末１００による処理の流れの一例を概略的に示す。図４は、作成したメールを優先順位に応じて送信バッファに格納する手順の一例を概略的に示す。図４に示す各処理は、通信端末１００が備える制御部が主体となって実行される。
【００３８】
ステップ（ステップをＳと省略して記載する場合がある。）４０２では、メール作成部１０４又はメール作成部１１６がメールを作成する。Ｓ４０４では、メール送信部１３０がメールを送信中であるか否かを判定する。メールを送信中であると判定した場合、Ｓ４０６に進み、メールを送信中でないと判定した場合、Ｓ４１０に進む。
【００３９】
Ｓ４０６では、メール送信部１３０が、Ｓ４０２によって作成されたメールの優先順位がＳ４０４において送信中と判定されたメールの優先順位よりも高いか否かを判定する。メール送信部１３０は、メール作成部１０４によって作成されたメール、メール作成部１１６によって作成された第１の種類のメール、メール作成部１１６によって作成された第２の種類のメールの順に優先順位が高いと判定してよい。
【００４０】
例えば、Ｓ４０２において作成されたメールがメール作成部１０４によって作成されたメールであり、Ｓ４０４において送信中と判定されたメールがメール作成部１１６によって作成されたメールの場合、メール送信部１３０は、優先順位が高いと判定する。また、例えば、Ｓ４０２において作成されたメールがメール作成部１１６によって作成された第１の種類のメールで、Ｓ４０４において送信中と判定されたメールがメール作成部１１６によって作成された第２の種類のメールである場合、メール送信部１３０は、優先順位が高いと判定する。優先順位が高いと判定された場合、Ｓ４０８に進み、優先順位が高いと判定されなかった場合、Ｓ４１０に進む。
【００４１】
Ｓ４０８では、メール送信部１３０が、Ｓ４０４において送信中と判定されたメールの送信を中止して、Ｓ４０２において作成されたメールを送信する。Ｓ４１０では、Ｓ４０２において作成されたメールの優先順位に応じて、当該メールを送信バッファ１０８に格納する。
【００４２】
当該メールがメール作成部１０４によって作成されたメールの場合、格納処理部１０６が当該メールを送信バッファ１０８に格納する。格納処理部１０６は、当該メールと同じ優先順位のメールが送信バッファ１０８に格納されている場合、当該メールと同じ優先順位のメールの後に当該メールを格納してよい。格納処理部１０６は、当該メールよりも優先順位の低いメールが送信バッファ１０８に格納されている場合、当該メールよりも優先順位の低いメールの前に当該メールを格納してよい。
【００４３】
当該メールがメール作成部１１６によって作成されたメールの場合、格納処理部１２４が、当該メールを送信バッファ１０８に格納する。格納処理部１２４は、当該メールと同じ優先順位のメールが送信バッファ１０８に格納されている場合、当該メールと同じ優先順位のメールの後に当該メールを格納してよい。格納処理部１２４は、当該メールと同じ優先順位のメールが送信バッファ１０８に格納されておらず、当該メールより優先順位が高いメールが送信バッファ１０８に格納されている場合、当該メールより優先順位が高いメールの後に当該メールを格納してよい。格納処理部１２４は、当該メールと同じ優先順位のメールが送信バッファ１０８に格納されておらず、当該メールより優先順位が低いメールが送信バッファ１０８に格納されている場合、当該メールより優先順位が低いメールの前に当該メールを格納してよい。
【００４４】
図５は、通信端末１００による処理の流れの一例を概略的に示す。図５は、メール作成部１０４及びメール作成部１１６によって作成されたメールが作成順に送信バッファ１０８に格納された場合に、メール送信部１３０によって実行される処理の一例を概略的に示す。
【００４５】
Ｓ５０２では、メール送信部１３０が、送信バッファ１０８中で優先順位が最も高いメールを選択する。Ｓ５０４では、メール送信部１３０が、Ｓ５０２において選択したメールの送信処理を開始する。
【００４６】
Ｓ５０６では、メール送信部１３０が、Ｓ５０４において開始した送信処理中に新たなメールが送信バッファ１０８に格納されたか否かを判定する。格納されたと判定した場合、Ｓ５０８に進み、格納されたと判定されなかった場合、Ｓ５１２に進む。
【００４７】
Ｓ５０８では、メール送信部１３０が、Ｓ５０６において格納されたと判定されたメールの優先順位が、送信処理中のメールの優先順位よりも高いか否かを判定する。高いと判定した場合、Ｓ５１０に進み、高いと判定されなかった場合、Ｓ５１２に進む。
【００４８】
Ｓ５１０では、メール送信部１３０が、送信処理中のメールの送信を中止して、Ｓ５０６において格納されたと判定されたメールの送信処理を開始する。Ｓ５１２では、メール送信部１３０が、送信バッファ１０８内の全メールの送信が終了したか否かを判定する。終了していないと判定した場合、Ｓ５０２に戻り、終了したと判定した場合、処理を終了する。
【００４９】
図６は、通信端末１００として機能するコンピュータ９００のハードウエア構成の一例を示す。本実施形態に係るコンピュータ９００は、ＳｏＣ９１０、メインメモリ９２２、フラッシュメモリ９２４、アンテナ９３２、アンテナ９３４、ディスプレイ９４０、マイク９４２、スピーカ９４４、ＵＳＢポート９５２、及びカードスロット９５４を備える。
【００５０】
ＳｏＣ９１０は、メインメモリ９２２及びフラッシュメモリ９２４に格納されたプログラムに基づいて動作し、各部の制御を行う。アンテナ９３２は、いわゆるセルラーアンテナである。アンテナ９３４は、いわゆるＷｉＦｉ（登録商標）アンテナである。ＳｏＣ９１０は、アンテナ９３２及びアンテナ９３４を用いて、各種通信機能を実現してよい。ＳｏＣ９１０は、例えば、アンテナ９３２又はアンテナ９３４を用いてＳｏＣ９１０が使用するプログラムを受信して、フラッシュメモリ９２４に格納してよい。
【００５１】
ＳｏＣ９１０は、ディスプレイ９４０を用いて各種表示機能を実現してよい。ＳｏＣ９１０は、マイク９４２を用いて各種音声入力機能を実現してよい。ＳｏＣ９１０は、スピーカ９４４を用いて各種音声出力機能を実現してよい。
【００５２】
ＵＳＢポート９５２は、ＵＳＢ接続を実現する。カードスロット９５４は、ＳＤカード等の各種カードとの接続を実現する。ＳｏＣ９１０は、ＵＳＢポート９５２に接続された機器又はメモリと、カードスロット９５４に接続されたカードとから、ＳｏＣ９１０が使用するプログラムを受信して、フラッシュメモリ９２４に格納してよい。
【００５３】
コンピュータ９００にインストールされ、コンピュータ９００を通信端末１００として機能させるプログラムは、ＳｏＣ９１０等に働きかけて、コンピュータ９００を、通信端末１００の各部としてそれぞれ機能させてよい。これらのプログラムに記述された情報処理は、コンピュータ９００に読込まれることにより、ソフトウエアと上述した各種のハードウエア資源とが協働した具体的手段である入力受付部１０２、メール作成部１０４、格納処理部１０６、送信バッファ１０８、変更指示受信部１１２、設定変更実行部１１４、メール作成部１１６、操作部１１８、位置情報取得部１２０、速度検出部１２２、メール送信部１３０、メール格納部１３２、メール受信部１３４、及び表示制御部１３６として機能する。そして、これらの具体的手段によって、本実施形態におけるコンピュータ９００の使用目的に応じた情報の演算又は加工を実現することにより、使用目的に応じた特有の通信端末１００が構築される。
【００５４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５５】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００５６】
１０  ネットワーク、２０  使用者、３０  おかあさん、４０  おとうさん、５０  おばあちゃん、６０  おじいちゃん、１００  通信端末、１０２  入力受付部、１０４  メール作成部、１０６  格納処理部、１０８  送信バッファ、１１２  変更指示受信部、１１４  設定変更実行部、１１６  メール作成部、１１８  操作部、１２０  位置情報取得部、１２２  速度検出部、１２４  格納処理部、１３０  メール送信部、１３２  メール格納部、１３４  メール受信部、１３６  表示制御部、２００  携帯電話、３００  管理サーバ、９００  コンピュータ、９１０  ＳｏＣ、９２２  メインメモリ、９２４  フラッシュメモリ、９３２  アンテナ、９３４  アンテナ、９４０  ディスプレイ、９４２  マイク、９４４  スピーカ、９５２  ＵＳＢポート、９５４  カードスロット
【図１】
2018088609.tif 000003
【図２】
2018088609.tif 000004
【図３】
2018088609.tif 000005
【図４】
2018088609.tif 000006
【図５】
2018088609.tif 000007
【図６】
2018088609.tif 000008